(57)【特許請求の範囲】
【請求項１】
吸込み口及び集塵口を有し、内部に配置された羽根車の回転運動によって、前記吸込み口から吸い込んだ塵芥を前記集塵口から吹出す送風機と、この送風機の前記集塵口に着脱自在に取り付けられる紙パックと、前記送風機に取り付けられ、この紙パックを覆う布製のカバーとを備え、
前記紙パックは、厚紙と、この厚紙に接合される紙袋とを有し、
塵芥が溜められた前記紙袋の重量が前記カバーに支持されることを特徴とする吸引装置。
【請求項２】
前記カバーは、前記送風機の集塵口に着脱自在に取り付けられるホルダに接続され、
前記ホルダと前記カバーとで構成される、前記紙袋を覆う部分の断面の内周の長さが、前記紙袋を覆う部分の内側に収まる前記紙袋の断面の外周の長さと略同じ、あるいは、前記紙袋を覆う部分の内側に収まる前記紙袋の断面の外周の長さが、前記紙袋を覆う部分の断面の内周の長さよりも長いことを特徴とする請求項１に記載の吸引装置。
【請求項３】
塵芥が溜められた前記紙袋の外周面が紙袋の周囲に配置された前記ホルダに接触することを特徴とする請求項２に記載の吸引装置。
【請求項４】
前記厚紙が前記送風機と前記ホルダとの間に挟まれ、
塵芥が溜められる前の前記紙パックは、前記ホルダの、前記カバーとは反対側の一端から前記ホルダ内に挿入され、
塵芥が溜められた後の前記紙パックは、前記ホルダの、前記カバー側の他端から取り出されることを特徴とする請求項２または３に記載の吸引装置。
【請求項５】
前記カバーは、前記送風機の集塵口に着脱自在に取り付けられるホルダに接続され、
前記送風機の吸込み口を構成するノズルの先端と、前記カバーの最下端を結ぶ線が、地面に対して略平行となる状態において、
前記ホルダと前記カバーが接続される部分のうち、前記送風機のノズルから最も離れた点から地面に垂直に下ろした線と、前記ホルダと前記カバーが接続される部分のうち、前記送風機のノズルに最も近い点から地面に下ろした線との間に、前記紙袋の重心が位置することを特徴とする請求項１に記載の吸引装置。
【発明の詳細な説明】
【０００１】
【発明の属する技術分野】
本発明は、落葉等の塵芥を集める吸引装置に関する。
【０００２】
【従来の技術】
従来から落葉等の塵芥を掃除するための吸引装置が知られている。吸引装置は内部に配置された羽根車の回転運動によって、吸込み口から塵芥を吸い込み、吹出し口から吹出す。吸引装置の集塵口には布製の集塵袋が取り付けられ、この集塵袋に塵芥が溜められる。塵芥が一杯になると、集塵袋が吸引装置から取り外され、集塵袋から塵芥が取り出される。再度吸引装置を使用する場合は、塵芥を取り出した後の集塵袋を吸引装置に取り付ける。
【０００３】
【発明が解決しようとする課題】
布製の集塵袋で塵芥を溜める吸引装置にあっては、上述のように集塵袋から塵芥を取り出す作業が必要になる。本出願人は、この作業をなくすために、家庭用の掃除機のように使い捨ての紙パックが使える吸引装置を提案している（特願２００１−０３６９５１参照）。この吸引装置では、布製の集塵袋の内部に紙パックを着脱自在に設け、紙パックが塵芥で一杯になると紙パックごと塵芥を捨てられるようにしている。
【０００４】
しかしながら、吸引装置に紙パックを使用した場合、家庭用の掃除機と異なり以下の問題が生じるおそれがある。一般に紙パックは、厚紙と、薄く通気性のある紙袋とからなり、厚紙の開口の周囲に紙袋の口部とを接着することで製造される。そして、紙袋に塵芥が溜まると、紙袋が徐々に重くなってくる。家庭用の掃除機では、紙袋は集塵室に収納されているので、紙袋の重量は集塵室の底面、壁面に支持される。しかし、紙パックを着脱自在に設けた吸引装置では、紙袋は厚紙から吊り下げられているので、紙袋の重量によって厚紙と紙袋との接着部分に力が加わり、ひいては厚紙から紙袋が剥離するおそれがある。
【０００５】
そこで、本発明は、集塵口に紙パックを着脱自在に設けた吸引装置において、厚紙から紙袋が剥離することを防止できる吸引装置を提供することを目的とする。
【０００６】
【課題を解決するための手段】
上記課題を解決するために、本発明者は、厚紙から紙袋を吊り下げるのみならず、紙袋が重くなってくると紙袋を覆う布製のカバーでも紙袋を支えられるようにした。すなわち請求項１の発明は、吸込み口及び集塵口を有し、内部に配置された羽根車の回転運動によって、前記吸込み口から吸い込んだ塵芥を前記集塵口から吹出す送風機と、この送風機の前記集塵口に着脱自在に取り付けられる紙パックと、前記送風機に取り付けられ、この紙パックを覆う布製のカバーとを備え、前記紙パックは、厚紙と、この厚紙に接合される紙袋とを有し、塵芥が溜められた前記紙袋の重量が前記カバーに支持されることを特徴とする吸引装置により、上述した課題を解決した。
【０００７】
また、請求項２の発明は、請求項１に記載の吸引装置において、前記カバーは、前記送風機の集塵口に着脱自在に取り付けられるホルダに接続され、前記ホルダと前記カバーとで構成される、前記紙袋を覆う部分の断面の内周の長さが、前記紙袋を覆う部分の内側に収まる前記紙袋の断面の外周の長さと略同じ、あるいは、前記紙袋を覆う部分の内側に収まる前記紙袋の断面の外周の長さが、前記紙袋を覆う部分の断面の内周の長さよりも長いことを特徴とする。
【０００８】
さらに、請求項３の発明は、請求項２に記載の吸引装置において、塵芥が溜められた前記紙袋の外周面が紙袋の周囲に配置された前記ホルダに接触することを特徴とする。
【０００９】
さらに、請求項４の発明は、請求項２または３に記載の吸引装置において、前記厚紙が前記送風機と前記ホルダとの間に挟まれ、塵芥が溜められる前の前記紙パックは、前記ホルダの、前記カバーとは反対側の一端から前記ホルダ内に挿入され、塵芥が溜められた後の紙パックは、前記ホルダの、前記カバー側の他端から取り出されることを特徴とする。
【００１０】
また、請求項５の発明は、請求項１に記載の吸引装置において、前記カバーは、前記送風機の集塵口に着脱自在に取り付けられるホルダに接続され、前記送風機の吸込み口を構成するノズルの先端と、前記カバーの最下端を結ぶ線が、地面に対して略平行となる状態において、前記ホルダと前記カバーが接続される部分のうち、前記送風機のノズルから最も離れた点から地面に垂直に下ろした線と、前記ホルダと前記カバーが接続される部分のうち、前記送風機のノズルに最も近い点から地面に下ろした線との間に、前記紙袋の重心が位置することを特徴とする。
【００１１】
【発明の実施の形態】
以下添付図面に基づいて本発明の一実施形態に係る吸引装置について説明する。図１は吸引装置の側面図（一部断面を含む）を示す。この吸引装置は、吸込み口１及び集塵口２を有する送風機３と、この送風機３の集塵口２に着脱自在に取り付けられる紙パック４と、この紙パック４を覆う布製のカバー５とを備える。送風機３の内部には羽根車６が配置される。送風機３は羽根車６の回転運動によって、落葉等の塵芥を吸込口１から吸込み、羽根車６で塵芥を破砕した後、集塵口２から吹出す。集塵口２から吹出された塵芥は紙パック４に溜められ、家庭用の掃除機と同様に紙パック４毎捨てられる。
【００１２】
吸引装置は、落葉等の塵芥を吸引して紙パック４に集める吸込み機能を有するのみならず、ノズル７から吹出された空気によって落葉等の塵芥を集める吹出し機能をも有する。すなわち、この送風機には、紙パック４側の集塵口２へ導く通路とノズル７側の吹出し口８へ導く通路とで、空気が流れる通路を択一的に切り替える切替機構９が設けられる。切替機構９でノズル７側の吹出し口８へ導く通路を選択したときは、吸込み口１から吸込まれた空気が、羽根車６を経由してノズル７側の吹出し口８から吹出される。
【００１３】
送風機３は、羽根車６と、羽根車６を回転駆動するモータ１０と、羽根車６及びモータ１０が内部に配置されるハウジング１１と、ハウジング１１に接続されるノズル７とを備える。
【００１４】
羽根車６は、吸い込まれた空気に羽根車６の軸線に対して垂直外向きの流れを生じさせる所謂遠心羽根車からなる。羽根車６の回転運動によって、羽根車６の軸線方向に流れる空気は、羽根車６内で向きを略９０度変え、羽根車６の半径方向に流れる。羽根車６の半径方向に流れた空気は、ハウジング１１のうず形室１１ａ及び分岐室１１ｂを経由してノズル７側の吹出し口８あるいは紙パック４側の集塵口２から吹き出される。羽根車６の中心には、モータ１０によって回転駆動される駆動軸１２が結合される。羽根車６の中心線は、ノズル７の吸込口１の中心線と一致せずに鋭角で交差している。なお、羽根車６の中心線は吸込み口１の中心線と鋭角に交差しなくて平行であってもよい。
【００１５】
羽根車６は、その回転運動によって吸込み口１から空気を吸い込む。羽根車６の縁部には鋭利なカッタが設けられ、このカッタが羽根車６を通過する比較的大きなゴミを粉砕する。
【００１６】
羽根車６の周囲にはうず形室１１ａが形成されている。このうず形室１１ａの下流側には、分岐室１１ｂが設けられる。この分岐室１１ｂに切替機構９が配置される。分岐室１１ｂの下流側には紙パック４側の集塵口２及びノズル７側の吹出し口８が設けられる。また、ハウジング１１の下部にはホルダ１３が装着される装着部１１ｃが形成される。ハウジング１１の上部には、手で把持するためのハンドル１４が設けられる。ハンドル１４のノズル７側の端部には、モータをオン・オフするためのスイッチ１５が設けられる。吸込み口１を塵芥に向けやすいように、ハンドル１４が配置される平面は羽根車６の中心線と略平行になっている。
【００１７】
ハウジング１１にはノズル７が接続されている。このノズル７は内部を仕切り壁７ａによって上下に区切られている。ノズル７の上部が吸込みノズル７ｂでノズル７の下部が吹出しノズル７ｃである。吸込みノズル７ｂが吸込み口１を構成し、吹出しノズル７ｃがノズル７側の吹出し口８を構成する。吸込みノズル７ｂの後端はハウジング１１のうず形室１１ａに連通し、吹出しノズル７ｃの後端は分岐室１１ｂに連通する。吸込みノズル７ｂは断面が一様に形成されるが、吹出しノズル７ｃは空気の流速を高めるために先端に向かって先細りに形成される。
【００１８】
ハウジング１１の分岐室１１ｂには、切替機構９が配置される。この切替機構９は、摘み９ａと、この摘み９ａと共に回転する弁体９ｂとを有する。弁体９ｂは、紙パック４側の集塵口２に連通する通路あるいはノズル７側の吹出し口８に連通する通路を選択的に塞ぐ。吸い込む作業に吸引装置を用いる場合、弁体９ｂがノズル７側の吹出し口８に連通する通路を塞ぐように、摘み９ａを回転させる。これにより、吸込み口１から吸込まれた空気は、うず形室１１ａ及び分岐室１１ｂを経由して紙パック４側の集塵口２から吹き出される。吹出し作業に吸引装置を用いる場合、弁体９ｂが紙パック４側の集塵口２に連通する通路を塞ぐように、摘み９ａを回転させる。これにより、吸込み口１から吸込まれた空気は、うず形室１１ａ及び分岐室１１ｂを経由してノズル７側の吹出し口８から吹き出される。
【００１９】
ハウジング１１の紙パック４側の集塵口２には、集塵口２から吊り下げられるように紙パック４が着脱自在に取り付けられる。紙パック４の厚紙は、ハウジング１１の装着部１１ｃとハウジング１１に着脱自在に取り付けられるホルダ１３との間に挟まれている。図２ないし図４は紙パックを示す。図２は厚紙の平面図を示し、図３は折り畳まれた紙パックの側面図を示し、図４は塵芥が溜められた後の紙パックの側面図を示す。紙パックは家庭用の掃除機に用いられる使い捨ての紙パックと同様な構成で、厚紙２１とこの厚紙２１に接合される通気性を有する紙袋２２とから構成される。
【００２０】
厚紙２１の平面形状は前部が扇形に後部が方形に形成される。厚紙２１の周縁は、紙袋２２よりも外側に張り出している。厚紙２１の前部には、塵芥を取り込むための開口２３が形成され、中央部には装着時に紙パックが脱落しないようにハウジング１１に設けられた位置決め突起２６（図７（Ａ）参照）が係合する係合孔２４が形成され、後部には紙パック４の取り外しの際に指を掛けるための横長の孔２５が形成されている。
【００２１】
厚紙２１の下面には紙袋２２が接着等により結合される。紙袋２２の口部が厚紙２１の開口の周囲に接着されている。紙袋２２はコンパクトに折り畳まれるように蛇腹状に形成される。塵芥が溜められた後の紙袋２２は膨れるようになっている。
【００２２】
図５及び図６は、ハウジング１１の装着部１１ｃに着脱自在に装着されるホルダ１３を示す。図５はホルダ１３の平面図を示し、図５はホルダ１３の側面図（一部断面を含む）を示す。ホルダ１３の中央には紙パック４が挿入される開口３１が形成される。塵芥が溜められる前の紙パック４は、ホルダ１３の、カバー５とは反対側の一端１３ａ（上端）からホルダ１３内に挿入される。塵芥が溜められた後の紙パック４は、ホルダ１３の、カバー５側の他端１３ｂ（下端）から取り出される。
【００２３】
ホルダ１３の前部にはハウジング１１の装着部１１ｃの前端に設けた突起３２（図７（Ａ）参照）に係合する軸部３３が設けられ、ホルダ１３の後部にはハウジング１１の装着部１１ｃの後端に係合する係合レバー３４が設けられる。ホルダ１３をハウジング１１の装着部１１ｃに装着するときには、ホルダ１３の軸部３３を突起３２に係合させ、その後、軸部３３を中心としてホルダ１３をハウジング１１側に回転させ、その後、係合レバー３４の爪３５を装着部１１ｃの後端に係合させる。ホルダをハウジングから取り外すときには、係合レバーの爪と装着部との係合を解除し、軸部を中心としてホルダをハウジングとは反対側に回転させ、軸部と装着部の突起との係合を解除する。
【００２４】
ホルダ１３の開口３１の周囲には、ホルダ１３とハウジング１１との間で紙パック４の厚紙２１を挟めるように支持板３６，３６が形成される。この支持板３６，３６は、開口３１の前部から中央部付近までのみに形成され、中央部から後部までには形成されていない。ホルダ１３を装着部１１ｃに装着し、支持板３６，３６とハウジング１１との間に厚紙２１を挟むことによって、紙パック４は送風機３に装着される。また、ホルダ１３を装着部１１ｃから取り外した後、紙パック４の厚紙２１を支持板３６，３６に沿ってスライドすることによって、紙パック４はホルダ１３の他端１３ｂから取り外される。
【００２５】
ホルダ１３の後部には、装着する前の紙パック４を位置決めするための位置決め部３７が形成される。紙パック４は支持板３６，３６の前部と位置決め部３７との間で位置決めされ、一時的に保持される。紙パック４がホルダ１３に一時的に保持された状態でホルダ１３を装着部１１ｃに装着すると、厚紙２１が位置決め部３７から支持板３６へと移動し、厚紙２１が装着部１１ｃと支持板３６との間に挟まれる。
【００２６】
図７は、紙パック４を送風機３の集塵口２に装着する工程図を示す。図中（Ａ）に示すように、まず塵芥を溜める前の折り畳まれた紙パック４をホルダ１３の一端１３ａからホルダ１３内に挿入する。このとき厚紙２１は、ホルダ１３の位置決め部３７に位置決めされる。次に、図中（Ｂ）に示すようにホルダ１３の軸部３３を装着部１１ｃの突起３２に係合させる。そして、係合レバー３４の爪３５が装着部１１ｃの後端に係合するまで、軸部３３を中心としてホルダ１３を反時計方向に回転させる。このとき装着部１１ｃの下端に設けた位置決め突起２６が厚紙２１の係合孔２４に嵌まり込む。そして、図中（Ｃ）に示すように、紙パック４は装着部１１ｃに対して一定の位置を保ったまま、位置決め部３７から支持板３６上に移動し、支持板３６と装着部１１ｃとの間に挟まれる。ここで、装着部１１ｃの下端に設けた位置決め突起２６が厚紙２１の係合孔２４に嵌まり込んでいるので、厚紙２１が装着部１１ｃから抜けることはない。
【００２７】
また、紙パック４を装着部１１ｃから取り外す場合は、係合レバー３４の爪３５と装着部１１ｃとの係合を解除し、軸部３３を中心としてホルダ１３を時計方向に回転させる。これによりホルダ１３が装着部１１ｃから取り外される。そして、支持板３６に対して紙パック４をスライドさせると、紙パック４がホルダの他端１３ｂ側から取り外される。
【００２８】
塵芥が溜められる前の紙パック４は、カバー５とは反対側の一端１３ａ（上端）からホルダ１３内に挿入されるので、紙パック４をホルダ１３に挿入する際、カバー５が邪魔になることがない。また、塵芥が溜められた後の紙パック４は、ホルダ１３のカバー５側の他端１３ｂ（下端）から取り出されるので、塵芥によって膨らんだ紙パック４をも簡単にホルダ１３から取り出すことができる。
【００２９】
図８及び図９は、ホルダ１３、ホルダ１３の下部に接続されたカバー５、及び紙パック４を示す斜視図である。紙パック４は布製のカバー５で覆われている。カバー５は袋状に形成され、その口元に設けた口バンド５ａがホルダ１３に巻きつけられている。カバー５の形状は塵芥で膨らんだ紙袋の形状と略一致している。カバーの後部には切欠き５ｂが設けられ、この切欠き５ｂから紙パック４が取り出される。カバー５は通気性が殆どなく、紙袋２２の内部に溜められた塵芥がカバー５を透過して外部に放出されるのを防止している。
【００３０】
図１０（Ａ）はホルダ１３及びカバー５の断面図を示し、図１０（Ｂ）は紙パック４の断面図を示す。ホルダ１３とカバー５とで構成される、紙袋２２を覆う部分の断面の内周の長さＬ１が、紙袋２２を覆う部分の内側に収まる紙袋２２の断面の外周の長さＬ２と略同じ、あるいは、紙袋２２を覆う部分の内側に収まる紙袋２２の断面の外周の長さＬ２が、紙袋２２を覆う部分の断面の内周の長さＬ１よりも長く設定される。これにより、図１１（Ａ）に示すように、塵芥が溜められた紙袋２２の外周面がカバー５の内周面に接触し、紙袋２２の重量がカバーに支持されている。また、塵芥が溜められた紙袋２２の外周面が紙袋２２の周囲に配置されたホルダ１３にも接触している。
【００３１】
本吸引装置では、紙パック４を覆うカバー５が紙パック４の重量を支持するので、厚紙２１と紙袋２２との接着部分に剥離する力が加わるのを防止することができる。また、紙パック４が周囲のホルダ１３にも支持されるので、例えば使用中に吸引装置を左右（水平方向）に振ったときには、紙袋２２の慣性力がホルダ１３に加わり、厚紙２１と紙袋２２の接着部分にかかることがない。このため、厚紙２１と紙袋２２とが剥離するのをより確実に防止することができる。
【００３２】
図１１（Ｂ）は、比較のために、ホルダ１３とカバー５とで構成される、紙袋２２を覆う部分の断面の内周の長さＬ１が、紙袋２２を覆う部分の内側に収まる紙袋２２の断面の外周の長さＬ２よりも長い場合を示す。この場合、紙袋２２の外周面の下部がカバー５の内周面の下部に接触することがなく、紙袋２２の外周面とカバー５の内周面との間には隙間が空く。紙袋２２の重量は厚紙２１と紙袋２２との接着部分に直接加わるので、厚紙２１と紙袋２２とが剥離するおそれがある。
【００３３】
本実施形態では、紙袋２２が厚紙２１から剥離するのを防止するために、さらに以下の工夫をしている。紙パック４を支持するカバー５は、変形しやすい布製なので、樹脂のように形が決まらず、操作時の作業姿勢によって変形しやすい。この変形が生じると厚紙２１と紙袋２２との接着部分に力が加わる。したがって、一般的な作業姿勢において、カバー５及び紙袋２２が変形しないような重量配分を考慮する必要がある。
【００３４】
図１に示すように、この種の吸引装置の一般的な作業姿勢は、ノズル７の先端とカバー５の最下点とを結ぶ線が地面に対して略平行な状態である。この一般的な作業姿勢において、ホルダ１３とカバー５が接続される部分のうち、送風機３のノズル７から最も離れた点Ｐ１から地面に垂直に下ろした線▲１▼と、ホルダ１３とカバー５が接続される部分のうち、送風機３のノズル７に最も近い点Ｐ２から地面に下ろした線▲２▼との間に、紙袋２２の重心Ｇが位置している。カバー５はその上部が、しっかりとした骨組となるホルダ１３に接続されている。紙パック４は厚紙２１がハウジング１１とホルダ１３との間に挟まれているが、実際に紙パック４を拘束しているのは外側のカバー５である。このため、カバー５とホルダ１３との接続部分に対する紙袋２２の重心Ｇを考慮するのが重要になってくる。そして本実施形態では、ホルダ１３とカバー５との取付け部分の投影面積Ｓの範囲に、紙袋２２の重心Ｇが位置している。なお、使い捨ての紙パックにおいて、紙袋２２の重心は、紙袋２２の側面形状の面積の中心と略重なっている。
【００３５】
投影面積Ｓ内に紙袋２２の重心Ｇを位置させることで、紙袋２２に自重によるモーメントが生じ難くなり、紙袋２２及びカバー５が安定する。これにより紙パック４及び紙パック４を支持するカバー５が変形するのを防止することができ、ひいては厚紙２１からの紙袋２２の剥離、あるいは紙袋２２自体の破れを防止することができる。
【００３６】
これに対し、仮に紙袋２２の重心Ｇが、ホルダ１３とカバー５が接続される部分の地面への投影面積Ｓから外れた位置にあると、紙袋２２に自重によるモーメントが働く。例えば、紙袋２２の重心Ｇが線▲２▼よりも前方にあると紙袋２２が後方に移動しようとし、紙袋２２の重心Ｇが線▲１▼よりも後方にあると紙袋２２が前方に移動しようとする。したがって、紙袋２２及び紙袋２２を支持するカバー５が変形しやすくなり、厚紙２１からの紙袋２２が剥離するおそれが生じる。一方、紙袋２２の重心Ｇが、投影面積Ｓの範囲内にあると、紙袋２２は前方及び後方いずれへも移動しようとしない。
【００３７】
なお、本発明は、上記実施形態の送風機に限られず、本発明の範囲を逸脱しない範囲で種々の実施形態への適用が可能である。例えば、上記実施形態では、ノズル７を上下に区画してノズル７に吹出し口８も設けているが、ノズル７には吹出し口８を設けなくてもよい。そして、吹出し作業を行うために、紙パック４を取り外した部分に別途吹出しノズルを設けても良い。この場合切換機構９が不要になる。
【００３８】
【発明の効果】
請求項１の発明によれば、塵芥が溜められた紙パックの重量を、紙パックを覆うカバーが支持するので、厚紙と紙袋との接着部分に剥離する力が加わるのを防止することができる。
【００３９】
ところで、家庭用の掃除機のように樹脂製のカバーで紙袋を覆う方法も考えられるが、構成部品が増えて複雑になる上、重量もかさみコストも上昇してしまうという問題がある。このような吸引装置では、手で持てるように重量が軽く、操作も簡単なものが望まれることが多いので、樹脂製のカバーで紙袋を覆うのは適さない。
【００４０】
請求項２の発明によれば、外側のカバーの寸法が内側の紙パックの寸法と略同じか、小さいので、外側のカバーで内側の紙パックを支持することができる。
【００４１】
請求項３の発明によれば、紙パックが周囲のホルダにも支持されるので、例えば使用中に吸引装置を左右（水平方向）に振ったときにも、紙袋の慣性力がホルダに加わるので、厚紙と紙袋の接着部分にかかることがない。このため、厚紙と紙袋とが剥離するのを防止することができる。
【００４２】
請求項４の発明によれば、塵芥が溜められる前の紙パックは、カバーとは反対側の一端からホルダ内に挿入されるので、紙パックをホルダに挿入する際、カバーが邪魔になることがない。また、塵芥が溜められた後の紙パックは、ホルダのカバー側の他端から取り出されるので、塵芥によって膨らんだ紙パックをも簡単にホルダから取り出すことができる。
【００４３】
ノズルの先端とカバーの最下点とを結ぶ線が地面に対して略平行な状態になるのがこの種の吸引装置の一般的な作業姿勢である。紙パックを支持するカバーは、変形しやすい布製なので、樹脂のように形が決まらず、操作時の作業姿勢によって変形しやすい。請求項５の発明によれば、紙袋の重心が、ホルダとカバーが接続される部分の地面への投影面積の範囲にあるので、紙袋にその自重によるモーメントが生じ難くなり、紙袋及びカバーが安定する。これにより紙パック及び紙パックを支持するカバーが変形するのを防止することができ、ひいては厚紙からの紙袋の剥離、あるいは紙袋自体の破れを防止することができる。
【００４４】
これに対し、仮に紙袋の重心が、ホルダとカバーが接合される部分の地面への投影面積から外れた位置にあるとすると、紙袋に自重によるモーメントが働き、紙袋及び紙袋を支持するカバーが変形しやすくなり、厚紙からの紙袋が剥離するおそれがある。
【図面の簡単な説明】
【図１】本発明の一実施形態における吸引装置を示す側面図（一部断面を含む）。
【図２】紙パックの平面図。
【図３】折り畳まれた紙パックの側面図。
【図４】膨れた紙パックの側面図。
【図５】ホルダの平面図。
【図６】ホルダの側面図（一部断面を示す）。
【図７】送風機にホルダを装着する工程を示す工程図（図中（Ａ）は装着前を示し、図中（Ｂ）は装着中を示し、図中（Ｃ）は装着後を示す）。
【図８】カバーに収納された紙パックを示す斜視図。
【図９】カバーから取り外された紙パックを示す斜視図。
【図１０】図中（Ａ）はホルダ及びカバーを示す断面図、図中（Ｂ）は紙パックを示す断面図。
【図１１】カバーに収納された紙パックを示す断面図（図中（Ａ）は本実施形態を示し、図中（Ｂ）は比較例を示す）。
【符号の説明】
１…吸込み口
２…集塵口
３…送風機
４・・・紙パック
５…カバー
６…羽根車
１３…ホルダ
２１…厚紙
２２…紙袋
Ｌ１…紙袋を覆う部分の断面の内周の長さ
Ｌ２…紙袋を覆う部分の内側に収まる紙袋の断面の外周の長さ
▲１▼…送風機のノズルから最も離れた点から地面に垂直に下ろした線
▲２▼…送風機のノズルに最も近い点から地面に下ろした線
Ｇ…紙袋の重心
【図１】
0003903366.tif 000002
【図２】
0003903366.tif 000003
【図３】
0003903366.tif 000004
【図４】
0003903366.tif 000005
【図５】
0003903366.tif 000006
【図６】
0003903366.tif 000007
【図７】
0003903366.tif 000008
【図８】
0003903366.tif 000009
【図９】
0003903366.tif 000010
【図１０】
0003903366.tif 000011
【図１１】
0003903366.tif 000012